(57)【要約】【課題】孔が設けられた場合でも、簡易な構成で輝度ムラを抑制することができる照明装置および表示装置。【解決手段】板状部材からなる導光板３０と、導光板３０の端面に対向配置されるとともに端面に向けて光を発するＬＥＤ２２と、を備えるバックライト装置２０であって、導光板３０は板厚方向に貫通する導光板側貫通孔３３を有しており、導光板側貫通孔３３の周囲のうち少なくともＬＥＤ２２の反対側に位置する領域は、当該領域以外の本体部３１よりも屈折率が高い高屈折部３２とされている。【選択図】図４
2019129060.tif 000002
【特許請求の範囲】
【請求項１】
板状部材からなる導光板と、前記導光板の端面に対向配置されるとともに前記端面に向けて光を発する光源と、を備える照明装置であって、
前記導光板は板厚方向に貫通する貫通孔を有しており、
前記導光板における前記貫通孔の周囲のうち少なくとも前記光源の反対側に位置する領域は、当該領域以外の他の領域よりも屈折率が高い高屈折領域とされている照明装置。
【請求項２】
前記高屈折領域は前記貫通孔の全周に設けられている請求項１に記載の照明装置。
【請求項３】
前記導光板は長方形の板状をなすとともに、前記光源は前記導光板の一対の短辺のうち一短辺側の端面に対向配置されており、
前記貫通孔は前記導光板のうち長辺方向における前記光源の反対側に偏って設けられている請求項１または請求項２に記載の照明装置。
【請求項４】
前記導光板の一対の板面のうち一方の前記板面は前記光が出射される光出射面であり、前記光出射面側に光を拡散させる拡散シートが積層されている請求項１ないし請求項３のいずれか一項に記載の照明装置。
【請求項５】
請求項１ないし請求項４のいずれか一項に記載の照明装置と、前記照明装置からの光を利用して表示を行う表示パネルとを備える表示装置。
【請求項６】
前記表示パネルには、前記貫通孔に連通するとともに厚さ方向に貫通するパネル側貫通孔が設けられている請求項５に記載の表示装置。
【発明の詳細な説明】
【技術分野】
【０００１】
本発明は、貫通孔を有する照明装置および表示装置に関する。
【背景技術】
【０００２】
近年、情報端末等の電子機器や自動車等の車両に設けられた計器等の装置においては、画像や情報を表示させる表示パネルとして液晶パネルが汎用されている。そして、この種の表示装置には、液晶パネルの他に、液晶パネルに対して光を供給するバックライト装置（照明装置）が搭載されている。
【０００３】
バックライト装置としては、例えば、特許文献１に示されるような、透明な板状部材からなる導光板と、この導光板の端面と対向する形で配される光源（例えば、ＬＥＤ）とを備えたエッジライト方式（又はサイドライト方式）のものが知られている。バックライト装置の光源から発せられた光は、光源と対向する導光板の端面（以下、光入射面）から導光板内に入射される。そして、その光は導光板内を伝播しつつ、表側の板面（以下、光出射面）から面状の光となって出射される。このようなエッジライト方式のバックライト装置は、他の方式（例えば、直下方式）と比べて薄型化が可能であるという利点を有する。
【先行技術文献】
【特許文献】
【０００４】
【特許文献１】特開２０１３−１４９５５９号公報
【発明の概要】
【発明が解決しようとする課題】
【０００５】
しかしながら、特許文献１に示されるようなエッジライト方式のバックライト装置において、板面に孔を設ける構成では、光入射面から導光板内に入射されて光入射面の反対側に位置する入射反対面に向けて直進する光は、その孔により進路が遮られ、孔よりも入射反対面側に位置する領域の輝度が低下して輝度ムラが発生するという問題がある。
【０００６】
このような輝度ムラを解決するためには、入射反対面側にも光源を設ける構成が考えられるが、そのような構成は光源配置のため構成の複雑化、ひいては、バックライト装置の大型化およびコストアップにつながる。
【０００７】
本発明は上記のような事情に基づいて完成されたものであって、孔が設けられた場合でも、簡易な構成で輝度ムラを抑制することができる照明装置および表示装置を提供することを目的とする。
【課題を解決するための手段】
【０００８】
上記課題に鑑みてなされた本願発明は、板状部材からなる導光板と、前記導光板の端面に対向配置されるとともに前記端面に向けて光を発する光源と、を備える照明装置であって、前記導光板は板厚方向に貫通する貫通孔を有しており、前記導光板における前記貫通孔の周囲のうち少なくとも前記光源の反対側に位置する領域は、当該領域以外の他の領域よりも屈折率が高い高屈折領域とされている。
【０００９】
このような構成によれば、光源から発せられた光のうち、高屈折領域に入射された光は、その高屈折領域を構成する高屈折材料により屈折される。この屈折の方向は、スネルの法則により、高屈折領域との境界の法線に対する入射光の角度よりも、屈折光の角度の方が小さくなる。つまり、側方から入射した光の屈折光は貫通孔に近づく方向に屈折されるから、高屈折領域が設けられない構成と比較して、入射光は光源から視た貫通孔の反対側（裏側）に回り込むことができる。
【００１０】
このように、通常、高屈折領域が設けられない導光板において光源から発せられた光が貫通孔により遮られて届かない領域は、高屈折領域に入射された光が特定の方向に屈折することにより効率よく照らされることになるから、全体として輝度ムラが抑えられた照明装置を得ることができる。
【００１１】
上記照明装置は、以下の構成を備えていてもよい。
【００１２】
高屈折領域は貫通孔の全周に設けられていてもよい。このような構成によれば、高屈折領域が貫通孔の周囲の一部にしか設けられない構成と比較して、高屈折領域を有する導光板を比較的に容易に製造することができる。
【００１３】
また、導光板は長方形の板状をなすとともに、光源は導光板の一対の短辺のうち一短辺側の端面に対向配置されており、貫通孔は導光板のうち長辺方向における光源の反対側に偏って設けられていてもよい。
【００１４】
このような構成では、光源から視て貫通孔の反対側（裏側）に位置する領域に光が届かない遮蔽領域が形成され易いため、高屈折領域を設けることで得られる効果が大きくなる。
【００１５】
導光板の一対の板面のうち一方の板面は光が出射される光出射面であり、光出射面側に光を拡散させる拡散シートが積層されていてもよい。
【００１６】
このような構成によれば、導光板の輝度の変化をわかり難くすることができる。
【００１７】
また本願発明は、上記のような照明装置と、照明装置からの光を利用して表示を行う表示パネルとを備える表示装置である。このような表示装置は、輝度ムラが少ない。
【００１８】
この表示装置の表示パネルには、貫通孔に連通するとともに厚さ方向に貫通するパネル側貫通孔が設けられていてもよい。
【発明の効果】
【００１９】
本発明によれば、孔が設けられている場合でも、簡易な構成で輝度ムラを抑制することができる照明装置および表示装置が得られる。
【図面の簡単な説明】
【００２０】
【図１】一実施形態に係る液晶表示装置の分解斜視図
【図２】液晶表示装置の縦断面図
【図３】液晶表示装置の一部拡大縦断面図
【図４】導光板の平面図
【図５】導光板の一部拡大平面図
【発明を実施するための形態】
【００２１】
一実施形態を図１から図５によって説明する。本実施形態では、表示パネルとして液晶パネル１１を備えた液晶表示装置（表示装置の一例）１０について例示する。なお、各図面の一部にはＸ軸、Ｙ軸及びＺ軸を示しており、各軸方向が各図面で示した方向となるように描かれている。上下方向については図２を基準とし、且つ同図上側を表側とするとともに同図下側を裏側とする。また、Ｘ軸方向を幅方向または側方とする。
【００２２】
液晶表示装置１０は全体として長方形状をなしており、図１に示すように、画像を表示可能な液晶パネル（表示パネルの一例）１１と、液晶パネル１１に対して裏側に配されるとともに液晶パネル１１に表示のための光を供給するバックライト装置（照明装置光の一例）２０とを備え、これらが枠状のベゼル１５などにより一体的に保持されるようになっている。本実施形態に係る液晶表示装置１０は、例えば自動車のダッシュボードに組み付けて用いられるものであり、インストルメントパネルの一部を構成するとともに、インストルメントパネルの計器の一部、各種警告画像、カーナビゲーションシステムの地図画像、車載カメラによる撮影画像などを表示することが可能とされる。
【００２３】
液晶パネル１１は長方形の板状をなし、透明な（高い透光性を有する）一対のガラス基板が所定のギャップを隔てた状態で貼り合わせられるとともに、両ガラス基板間に液晶層が配された構成とされる（詳細な図は省略する）。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板１２が配されている。
【００２４】
液晶パネル１１は、バックライト装置２０から供給される光を利用して画像を表示することができ、その表側が出光側とされている。なお、液晶パネル１１における長辺方向がＹ軸方向と一致し、短辺方向がＸ軸方向と一致し、さらに厚さ方向がＺ軸方向と一致している。
【００２５】
本実施形態の液晶パネル１１には、パネル側貫通孔１３が貫通形成されている。このパネル側貫通孔１３は、後述するバックライト装置２０の装置側貫通孔２８と相互に連通しており（図３参照）、液晶表示装置１０の裏側に配されたインストルメントパネルに備えられる機械式の計器の針などの物体を通すためのものである。パネル側貫通孔１３の孔縁部は図示しないシール部材により封止されており、液晶が漏れ出ないようになっている。
【００２６】
ベゼル１５は金属材料（例えばアルミニウム）からなり、図１に示すように、全体としては長方形の枠状をなしている。ベゼル１５は、液晶パネル１１の外周端部を全周にわたって表側から押さえるパネル押さえ部１５ａと、パネル押さえ部１５ａの外周縁部から裏側に向けて突出するとともにバックライト装置２０を外周側から取り囲む外筒部１５ｂとから構成されている。液晶パネル１１は、このベゼル１５によってバックライト装置２０との間に挟み込まれて保持されるとともに、枠状をなすパネル固定テープ１６によってバックライト装置２０に対して固定されている。
【００２７】
パネル固定テープ１６は合成樹脂製であって、全体としては液晶パネル１１の外周端部に沿って長方形の枠状をなす基材の両面に粘着材を塗布してなるものとされている。パネル固定テープ１６の基材は、その表面が黒色をなすことで遮光性を有するものとされ、それによりバックライト装置２０からの漏れ光が液晶パネル１１の非表示領域を透過するのが防がれている。
【００２８】
バックライト装置２０は、全体として液晶パネル１１と同様に、平面視長方形とされた略ブロック状をなしている。バックライト装置２０は、図１ないし図３に示すように、液晶パネル１１側に向けて開口した略箱型をなすシャーシ２１と、光源である複数のＬＥＤ２２（Light Emitting Diode：発光ダイオード）およびＬＥＤ２２が実装されたＬＥＤ基板２３と、ＬＥＤ２２から発せられる光を導光する導光板３０と、導光板３０の表側に積層配置される複数の光学シート２５と、導光板３０の裏側に積層配置される反射シート２６と、シャーシ２１の短辺に沿って配される一対のホルダ２７とを備える。
【００２９】
バックライト装置２０は、導光板３０の一短辺側の端面にＬＥＤ２２（ＬＥＤ基板２３）が配されることで、導光板３０に対して片側からのみ入光される片側入光タイプのエッジライト型（サイドライト型）とされる。バックライト装置２０は、ＬＥＤ２２からの光を面状の光に変換しつつ、シャーシ２１の開口部位から表側の液晶パネル１１に向けて出射するものとされる。つまり、バックライト装置２０は表側が出光側とされる。以下、バックライト装置２０の構成部品について順に説明する。
【００３０】
シャーシ２１は、例えばアルミニウム板や電気亜鉛めっき鋼板（ＳＥＣＣ）などの金属材料からなり、図１に示すように、液晶パネル１１と同様に平面視長方形状をなすとともに、表側に向けて開口した略箱型をなし、内部にＬＥＤ基板２３や導光板３０等を収容している。シャーシ２１は、長方形の底板部２１ａと、底板部２１ａの端縁部（一対の長辺及び一対の短辺）からそれぞれ表側に向けて立ち上がる側板部２１ｂとからなる。シャーシ２１の底板部２１ａは、その長辺方向がＹ軸方向と一致し、短辺方向がＸ軸方向と一致している。シャーシ２１の底板部２１ａのうち液晶パネル１１のパネル側貫通孔１３に対応する位置には、パネル側貫通孔１３に連通する貫通孔２１ｈが設けられている。
【００３１】
底板部２１ａは、シャーシ２１内に収容される部材を裏側から支持するものとされる。側板部２１ｂは、シャーシ２１内に収容された部材を外周側から取り囲む形で配されることで、全体として縦長の長方形の枠状をなしている。側板部２１ｂは、ベゼル１５の外筒部１５ｂにより外周側から取り囲まれるようになっている。これら側板部２１ｂと外筒部１５ｂとには、それぞれ図示しない保持構造が設けられており、この保持構造によってシャーシ２１とベゼル１５とが組み付けられた状態で保持されるようになっている。
【００３２】
一対のホルダ２７は、白色を呈する合成樹脂製とされており、図１に示すように、シャーシ２１の短辺方向（Ｘ軸方向、幅方向）に沿って延びる細長い角棒状をなすとともに、シャーシ２１の短辺側の側板部２１ｂに沿って配された状態でシャーシ２１に対して取り付けられている。一対のホルダ２７のうち後述する導光板３０の光入射面３０ａ側（図２の左側）に配されるもの（ホルダ２７ａとする）は、その上面に後述するＬＥＤ基板２３が載置されるようになっている。また、一対のホルダ２７のうち後述する導光板３０の入射反対面３０ｂ側（図２および図３の右側）に配されるもの（ホルダ２７ｂとする）は、その上面にパネル固定テープ１６を載置可能な階段状面を有している。また、両ホルダ２７の下面側には、後述する反射シート２６を押さえるための階段状面を有している。
【００３３】
ＬＥＤ２２は、図１に示すように、後述するＬＥＤ基板２３の板面に固着される基板部上に半導体発光素子であるＬＥＤチップ（ＬＥＤ素子）を樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。このＬＥＤ２２は、ＬＥＤ基板２３に対する実装面に隣接する側面が発光面２２ａとされる、いわゆる側面発光型とされている。
【００３４】
なお、ＬＥＤ２２は、発光面２２ａから、光軸Ｌ１を中心とする所定の広がり（指向性）を持った光が出射される。本実施形態の場合、その出射された光の光軸Ｌ１は、発光面２２ａの中央部分に対して略垂直な状態となっている（図４参照）。このため、ＬＥＤ２２からの光のうち、導光板３０の光入射面３０ａ以外の端面（後述する入射反対面３０ｂおよび一対の側面３０ｅ）に向かって進行する光は、一対の側面３０ｅに比べて入射反対面３０ｂで多くなっている。
【００３５】
ＬＥＤ基板２３は、絶縁材料製であり可撓性を有するフィルム状（シート状）の基材上に複数のＬＥＤ２２が間欠的に並ぶ形で表面実装される（図１参照）とともに、ＬＥＤ２２に対して給電するための配線パターンがパターニングされた構成とされている。ＬＥＤ基板２３は、その長辺寸法が後述する導光板３０の短辺寸法（幅寸法）と同等とされるとともに、短辺寸法が、ホルダ２７ａと導光板３０との間隔よりも広く設定されている（図２参照）。
【００３６】
ＬＥＤ基板２３におけるＬＥＤ２２の実装面は、裏側（液晶パネル１１側とは反対側）を向いた面とされている。またＬＥＤ基板２３は、一対の長辺の一方側が導光板３０の一対の短辺の一方側（光入射面３０ａ側の短辺）に沿うように導光板３０の表側に配されるとともに、他方側がホルダ２７ａの表側に配されている。これにより、ＬＥＤ２２は、その発光面２２ａが後述する導光板３０の一短辺側の端面（光入射面３０ａ）と平行になるように対向配置されている。
【００３７】
次に、導光板３０について詳しく説明する。本実施形態の導光板３０は、全体としてはアクリル系樹脂やポリカーボネイト等の透明な合成樹脂等からなり、図１及び図２に示すように、シャーシ２１の底板部２１ａよりも一回り小さな平面視長方形の板状をなしてシャーシ２１の底板部２１ａに平行に配されている。また導光板３０は、長辺方向（長さ方向）がＹ軸方向と、短辺方向（幅方向）がＸ軸方向とそれぞれ一致し、且つその板面と直交する板厚方向がＺ軸方向と一致している。導光板３０は、シャーシ２１内において側板部２１ｂによりその周りが取り囲まれた形で収容されている。
【００３８】
導光板３０の外周端面のうち図２および図４に示す左側の短辺側の端面は、上述したように、ＬＥＤ２２の発光面２２ａと平行に対向してＬＥＤ２２からの光が入射される光入射面３０ａとされる。また本実施形態において、光入射面３０ａの反対側に位置する端面（図２ないし図４の右側の端面）は入射反対面３０ｂとし、一対の板面のうち上面（表面）は光を液晶パネル１１に向けて出射させる光出射面３０ｃとし、一対の板面のうち下面（裏面）は、導光板３０の内部から当該下面（裏面）に向かう光を光出射面３０ｃ側に向けて反射する反射面３０ｄと称することとする。さらに、導光板３０の外周端面のうち長辺側の端面（光入射面３０ａおよび入射反対面３０ｂ以外の端面）は、一対の側面３０ｅと称することとする。
【００３９】
導光板３０は光学シート２５を介して液晶パネル１１の直下位置に配されており、液晶パネル１１と導光板３０とが正規の位置で組み付けられた状態において、上述したパネル側貫通孔１３に対応する位置には、導光板側貫通孔３３が設けられている。
【００４０】
本実施形態の導光板３０においては、導光板側貫通孔３３の孔縁部を含む周囲は、全周に亘って、当該周囲以外の領域（他の領域の一例）よりも屈折率が高い高屈折材料によって形成されている。具体的には、アクリル系樹脂やポリカーボネイト等よりも屈折率が高い、ポリメタクリル酸メチル樹脂等の汎用の光学プラスチック樹脂や、高屈折ガラス等によって形成されている。以下、この高屈折材料により形成された領域（貫通孔３３の周囲）を高屈折部３２とし、高屈折部３２以外の領域を本体部３１と称することとする。
【００４１】
高屈折部３２は、例えば上述したような高屈折材料により形成されたリングを二色成形あるいはインサート成形することにより本体部３１と一体に形成したり、別体として形成されたリングを、本体部３１に組み付けることにより設けることができる。組み付ける場合には、リング（高屈折部３２）と本体部３１との間に空気層ができないように、本体部３１または高屈折部３２の構成材料と同系の接着剤を使用することが好ましい。
【００４２】
本実施形態において高屈折部３２は、図４に示すように、円形（円筒形）とされた導光板側貫通孔３３の全周に亘って同幅で形成されている。その幅は、導光板３０のサイズや、導光板側貫通孔３３の位置やサイズ、高屈折部３２の屈折率、ＬＥＤ２２の仕様等により適宜設定される。
【００４３】
なお、本実施形態においてパネル側貫通孔１３および導光板側貫通孔３３は、図２及び図４に示すように、液晶パネル１１及びバックライト装置２０のうち、中心に対して長辺方向（Ｙ軸方向）におけるＬＥＤ２２の反対側（入射反対面３０ｂ側）に偏った位置に設けられている。
【００４４】
導光板３０の光出射面３０ｃには、３層の光学シート２５が積層されている。光学シート２５は、図１に示すように、平坦な長方形のシート状とされており、その長辺方向がＹ軸方向と、短辺方向がＸ軸方向とそれぞれ一致している。
【００４５】
光学シート２５は、導光板３０と液晶パネル１１との間に介在して配されることで、導光板３０からの出射光を透過するとともにその透過光に所定の光学作用を付与しつつ液晶パネル１１に向けて出射させる。
【００４６】
本実施形態に係る光学シート２５は、下層側から順に、拡散シート２５ａと、レンズシート２５ｂと、反射型偏光シート２５ｃとが重ねられてなる。このうち、拡散シート２５ａは、ほぼ透明な合成樹脂製の基材中に光を拡散させるための拡散粒子を多数分散配合した構成とされている。拡散シート２５ａは、導光板３０の真上に重ねられており、光学シート２５の中で最も導光板３０の近くに配されている。また、反射型偏光シート２５ｃにおける外周端部には、上述したパネル固定テープ１６の裏側の面が固着される。
【００４７】
一方、導光板３０の裏面側（反射面３０ｄ側）には、反射シート２６が積層されている。この反射シート２６は、表面が光反射性に優れた白色を呈する合成樹脂製のシート材からなるものとされるので、導光板３０内を伝播して反射面３０ｄから出射した光を表側（光出射面３０ｃ）に向けて効率的に立ち上げることができる。反射シート２６は、平面視長方形状をなしており、その中央側の大部分が導光板３０とシャーシ２１の底板部２１ａとの間に挟み込まれる形で配されている。反射シート２６の外周端部は、導光板３０の外周端面よりも外側に延出しており、一対の短辺側の端部はホルダ２７により押さえられている。また、ＬＥＤ基板２３側の端部に関しては、ＬＥＤ２２から直接受ける光を効率的に反射して光入射面３０ａに入射させることができる。
【００４８】
なお、これら光学シート２５、反射シート２６、および、シャーシ２１の底板部２１ａにおいて、導光板３０の導光板側貫通孔３３に対応する位置には、いずれも、貫通孔２５ｈ，２６ｈ，２１ｈが貫通形成されており、全体として装置側貫通孔２８とされている。
【００４９】
本実施形態の液晶表示装置１０は以上のような構成であって、次に、作用効果について説明する。
【００５０】
エッジライト方式のバックライト装置２０において、上述したように導光板３０に板面を貫通する導光板側貫通孔３３が形成されている構成では、光入射面３０ａから指向性を有して導光板３０内に入射された光の一部は、導光板側貫通孔３３に挿通される図示しない物体あるいは導光板側貫通孔３３そのものにより進路が遮られる。このため、導光板側貫通孔３３よりも入射反対面３０ｂ側には、光が行き届かない遮蔽領域３４が発生する。
【００５１】
このような問題に対し、本実施形態のバックライト装置２０は、板状部材からなり板厚方向に貫通する導光板側貫通孔３３を有する導光板３０と、導光板３０の端面（光入射面３０ａ）に対向配置されるとともに端面に向けて光を発するＬＥＤ２２と、を備え、導光板側貫通孔３３の全周に亘って、本体部３１よりも屈折率が高い高屈折部３２が設けられている。
【００５２】
このような構成によれば、ＬＥＤ２２から発せられた光のうち、高屈折部３２に入射された光は、高屈折部３２を構成する高屈折材料により屈折される。この屈折の方向は、図５に示すように、スネルの法則により、高屈折部３２との境界の法線ｎに対する入射光の角度（θ１）よりも、屈折光の角度（θ２）の方が小さくなる（本体部３１の屈折率ｎ１＜高屈折部３２の屈折率ｎ２の場合）から、換言すると、屈折光は導光板側貫通孔３３に近づく方向に屈折されるから、高屈折部３２が設けられていない従来の構成と比較して、入射光はＬＥＤ２２から視た導光板側貫通孔３３の反対側（裏側、図４の右側）に回り込むことができる。
【００５３】
このように、通常、高屈折部３２が設けられない導光板においてＬＥＤ２２から発せられた光が導光板側貫通孔３３により遮られて届かない遮蔽領域３４は、高屈折部３２に入射された光が特定の方向に屈折することにより効率よく照らされることになるから、全体として輝度ムラが抑えられたバックライト装置２０を得ることができる。
【００５４】
また高屈折部３２は導光板側貫通孔３３の全周に亘って設けられている。このような構成によれば、高屈折部３２が導光板側貫通孔３３の周囲の一部にしか設けられない構成と比較して、製造の際の位置決めや全体のバランスを取ることが容易になり、高屈折部３２を有する導光板３０を比較的に容易に製造することができる。
【００５５】
また、導光板３０は長方形の板状をなすとともに、ＬＥＤ２２は導光板３０の一対の短辺のうち一短辺側の端面（光入射面３０ａ）に対向配置されており、導光板側貫通孔３３は導光板３０のうち長辺方向（Ｙ軸方向）におけるＬＥＤ２２の反対側（図２および図４の右側）に偏って設けられている。
【００５６】
このような構成では、ＬＥＤ２２から視て導光板側貫通孔３３の反対側（裏側）に位置する領域に光が届かない遮蔽領域３４が形成され易いため、高屈折部３２を設けることで大きな効果を得ることができる。
【００５７】
導光板３０の一対の板面のうち一方の板面は光が出射される光出射面３０ｃであり、光出射面３０ｃ側に光を拡散させる拡散シート２５ａが積層されていてもよい。このような構成によれば、導光板３０の輝度の変化をわかり難くすることができる。
【００５８】
本実施形態の液晶表示装置１０およびバックライト装置２０によれば、貫通孔１３，３３が設けられている場合でも、簡易な構成で輝度ムラを抑制することができる。
【００５９】
＜他の実施形態＞
本発明は上記記述及び図面によって説明した実施形態に限定されるものではなく、例えば次のような実施形態も本発明の技術的範囲に含まれる。
【００６０】
（１）上記実施形態では、高屈折部３２を導光板側貫通孔３３の全周に設ける形態を示したが、導光板側貫通孔３３の周囲のうち、ＬＥＤ２２から視て導光板側貫通孔３３の反対側（入射反対面３０ｂ側）に位置する領域だけに設ける構成としてもよい。
【００６１】
（２）上記実施形態では、平面視長方形状とされた導光板３０の例を示したが、導光板の形態は上記実施形態に限るものでなく、例えば、円形等他の形態の導光板としてもよい。
【００６２】
（３）上記実施形態では、導光板側貫通孔３３を、長方形の板状とされた導光板３０の長辺方向（Ｙ軸方向）において中心よりも入射反対面３０ｂ側に偏った形態を示したが、導光板側貫通孔はどの位置に設けてもよい。
【００６３】
（４）上記実施形態では、光学シート２５は下層側から順に、拡散シート２５ａと、レンズシート２５ｂと、反射型偏光シート２５ｃとが重ねられてなる三層構造としたが、光学シート２５の構成は上記実施形態に限るものでない。例えば、他の種類の光学シートを重ねてもよく、三層構造に限らず単層、二層構造、四層以上の構成としてもよい。
【００６４】
（５）液晶パネル１１と導光板３０との保持構造は上記実施形態に限るものでなく、適宜変更することができる。
【符号の説明】
【００６５】
１０：液晶表示装置（表示装置）、１１：液晶パネル（表示パネル）、１３：パネル側貫通孔、２０：バックライト装置（照明装置）、２２：ＬＥＤ（光源）、２３：ＬＥＤ基板、２５：光学シート、２５ａ：拡散シート、３０：導光板、３０ａ：光入射面（端面）、３１：本体部（他の領域）、３２：高屈折部（高屈折領域）、３３：導光板側貫通孔（貫通孔）、Ｘ：幅方向、Ｙ：長さ方向、光軸方向、Ｚ：板厚方向、Ｌ１：光軸
【図１】
2019129060.tif 000003
【図２】
2019129060.tif 000004
【図３】
2019129060.tif 000005
【図４】
2019129060.tif 000006
【図５】
2019129060.tif 000007